【事件の表示】
　特願２０１８−５３５１００「狭帯域物理ランダムアクセスチャネル周波数ホッピングパターンおよび検出スキーム」拒絶査定不服審判事件〔平成２９年　７月１３日国際公開，ＷＯ２０１７／１１９９４３，平成３１年　３月　７日国内公表，特表２０１９−５０６７９２，請求項の数（１）〕について，次のとおり審決する。
【結　論】
　原査定を取り消す。
　本願の発明は，特許すべきものとする。
【理　由】
　
第１　手続の経緯
　本願は，２０１６年（平成２８年）１１月３日（パリ条約による優先権主張外国庁受理２０１６年１月７日　米国，２０１６年１１月２日　米国）を国際出願日とする出願であって，令和元年１０月１１日に手続補正がされ，令和元年１０月３１日付けで拒絶理由が通知され，令和２年２月１２日に手続補正がされ，令和２年５月２９日付けで拒絶査定（原査定）がされ，これに対し，令和２年１０月９日に拒絶査定不服審判の請求がされると同時に手続補正がされたものである。
第２　原査定の概要
　原査定（令和２年５月２９日付け拒絶査定）の概要は次のとおりである。
・請求項　　　１−２，５−１１，１４−２０，２３−２８
・引用文献等　１
・請求項　　　３−４，１２−１３，２１−２２
・引用文献等　１−２
　　　　　　　　　　　　　　＜引用文献等一覧＞
１．Qualcomm Incorporated，Narrow band OFDMA-Random Access，3GPP TSG GERAN #64 Tdoc GP-140840，3GPP，２０１４年１１月，インターネット＜ＵＲＬ：https://www.3gpp.org/ftp/tsg-geran/TSG_GERAN/GERAN_64_San_Francisco/Docs/GP-140840.zip＞
２．米国特許第８５５３７４３号明細書
第３　本願発明
　本願請求項１に係る発明（以下，「本願発明１」という。）は，令和２年１０月９日の手続補正で補正された特許請求の範囲の請求項１に記載された事項により特定される以下のとおりの発明である。
「　【請求項１】
　ワイヤレス通信のための方法であって，
　基地局とユーザ機器（ＵＥ）との間の通信のための物理ランダムアクセスチャネル（ＰＲＡＣＨ）を識別すること，前記基地局は，前記ＵＥと，前記ＵＥと異なるＵＥと通信している，と，
　複数の単一サブキャリア送信を備えるランダムアクセスプリアンブルのために前記ＰＲＡＣＨ内で周波数ホッピングパターンを決定すること，前記周波数ホッピングパターンは，前記ＰＲＡＣＨ内で第１の周波数ホッピング距離に関連付けられた周波数ホップと，前記ＰＲＡＣＨ内で第２の周波数ホッピング距離に関連付けられた周波数ホップとを備え，前記第１の周波数ホッピング距離は，前記第２の周波数ホッピング距離より長く，前記第１または第２の周波数ホッピング距離に関連付けられた周波数ホップを２回以上の所定の回数実行した後，前記第２または第１の周波数ホッピング距離に関連付けられた周波数ホップを実行する，と，
　前記ＵＥが，前記決定された周波数ホッピングパターンに従って前記ランダムアクセスプリアンブルを送信することと
　を備える，方法。」
第４　引用文献，引用発明等
１．引用文献１について
　原査定の理由に引用されたQualcomm Incorporated，Narrow band OFDMA-Random Access，3GPP TSG GERAN #64 Tdoc GP-140840，3GPP，２０１４年１１月，インターネット＜ＵＲＬ：https://www.3gpp.org/ftp/tsg-geran/TSG_GERAN/GERAN_64_San_Francisco/Docs/GP-140840.zip＞（以下，「引用文献１」という。下線は当審が付与。）には，
「2 Physical Random Access Channel
Physical Random Access Channel (PRACH) is used by a UE to request dedicated resources for uplink/downlink data transfer.
PRACH transmission must occur within one of the PRACH segment defined within the first 24 extended slots of a frame.
（当審訳：
「２　物理ランダムアクセスチャネル
　
物理ランダムアクセスチャネル（ＰＲＡＣＨ）は，アップリンク/ダウンリンクデータ転送の専用リソースを要求するためにＵＥによって使用される。
ＰＲＡＣＨ送信は，フレームの最初の24個の拡張スロット内で定義されたＰＲＡＣＨセグメント内の１つで発生する必要がある。
「2.1 Detailed description
Within the first 24 extended slots, 0, 1, ... , 23, frequency hopping of g tones occurs at the beginning of each odd-numbered slot, and random frequency hopping occurs at the beginning of each even-numbered slot. The hopping with fixed step size of g tones helps the base station to measure uplink time-of-arrival. The random hopping creates frequency diversity and reduces inter-cell interference.
（当審訳：
「２．１　詳細な説明
　
最初の24個の拡張スロット0，1，...，23内では，ｇトーンの周波数ホッピングが各奇数番号スロットの先頭で発生し，ランダム周波数ホッピングが各偶数番号スロットの先頭で発生する。ｇトーンの固定ステップサイズでのホッピングは，基地局がアップリンクの到着時間を測定するのに役立つ。ランダムホッピングは周波数ダイバーシティを作成し，セル間の干渉を減らす。
「
In addition to the aforementioned “micro-hopping” that occurs at each odd-numbered slot, PRACH transmission may also perform frequency hopping at each even-numbered slot as other UL channels determined by the base station.
（当審訳：
「
前述の各奇数番号スロットで発生する「マイクロホッピング」に加えて，ＰＲＡＣＨ送信はまた，基地局によって決定される他のＵＬチャネルと同様に，各偶数番号スロットで周波数ホッピングを実行することができる。
「
Figure4 Example PRACH allocation for two modulation schemes」
（当審訳：
「図４　２つの変調方式のＰＲＡＣＨ割り当ての例」）
　の記載があるから，
「物理ランダムアクセスチャネル（ＰＲＡＣＨ）は，アップリンク/ダウンリンクデータ転送の専用リソースを要求するためにＵＥによって使用され，
　ＰＲＡＣＨ送信は，フレームの最初の24個の拡張スロット内で定義されたＰＲＡＣＨセグメント内の１つで発生する必要があり，
　最初の24個の拡張スロットでは，ｇトーンの周波数ホッピングが各奇数番号スロットの先頭で発生し，ランダム周波数ホッピングが各偶数番号スロットの先頭で発生し，ｇトーンの固定ステップサイズでのホッピングは，基地局がアップリンクの到着時間を測定するのに役立ち，ランダムホッピングは周波数ダイバーシティを作成し，セル間の干渉を減らし，
　前述の各奇数番号スロットで発生する「マイクロホッピング」に加えて，ＰＲＡＣＨ送信はまた，基地局によって決定される他のＵＬチャネルと同様に，各偶数番号スロットで周波数ホッピングを実行することができる，
　ＰＲＡＣＨ送信方法。」（以下，「引用発明」という。）
　の発明が記載されている。
２．引用文献２について
　原査定の理由に引用された米国特許第８５５３７４３号明細書（以下，「引用文献２」という。下線は当審が付与。）には，
「FIG.1 is a block diagram of one embodiment of a manner for communicating information in accordance with the present invention. The embodiment of FIG.1 
utilizes RF communications and frequency-hopping to avoid interference with other RF devices that may be within the wireless communication range.
For example, in the embodiment of FIG.1 a plurality of frequencies100 are available for use in any of the frequency hopping sequences that will be utilized. In one embodiment there are fifty available frequencies100, although the number of available frequencies100 may be any number. 
Multiple frequency hopping sequences are used in accordance with the invention. Each of the different sequences may be determined in advance. Alternatively, each of the different sequences may be randomly selected or randomly created.
（当審訳：
「図１は，本発明による情報を伝達するための方法の一実施形態のブロック図である。図１の実施形態は，
ワイヤレス通信範囲内にある可能性のある他のＲＦデバイスとの干渉を回避するためにＲＦ通信と周波数ホッピングを利用する。
　例えば，図１の実施形態では，複数の周波数１００は，利用される周波数ホッピングシーケンスのいずれかで使用するために利用可能である。一実施形態では，利用可能な周波数１００の数は任意の数であり得るが，５０の利用可能な周波数１００が存在する。
本発明によれば，複数の周波数ホッピングシーケンスが使用される。異なるシーケンスのそれぞれは，事前に決定され得る。あるいは，異なる配列のそれぞれをランダムに選択するか，またはランダムに作成することができる。
　の記載があるから，
「周波数ホッピングを利用したＲＦ通信では，ランダムに作成した周波数ホッピングシーケンスが使用される」（以下，「周知技術」という。）
　ことは周知である。
第５　対比
１．本願発明１に対して
　本願発明１と引用発明を対比する。
　引用発明はアップリンク／ダウンリンクデータ転送の専用リソースを要求するためにＵＥによって使用されるＰＲＡＣＨ送信方法であるから，「ワイヤレス通信のための方法」であって，「基地局とユーザ機器（ＵＥ）との間の通信のための物理ランダムアクセスチャネル（ＲＡＣＨ）を識別」し，前記基地局が前記ＵＥと通信していることは明らかである。
　引用発明は，ＰＲＡＣＨの送信において周波数ホッピングを行うから，「ＰＲＡＣＨ内で周波数ホッピングパターンを決定」しているといえ，ｇホップとランダムホップを行うから，「前記ＰＲＡＣＨ内で第１の周波数ホッピング距離に関連付けられた周波数ホップと，前記ＰＲＡＣＨ内で第２の周波数ホッピング距離に関連付けられた周波数ホップとを備え」ているといえる。
　したがって，本願発明１と引用発明とは，
「　ワイヤレス通信のための方法であって，
　基地局とユーザ機器（ＵＥ）との間の通信のための物理ランダムアクセスチャネル（ＰＲＡＣＨ）を識別すること，前記基地局は，前記ＵＥと通信している，と，
　前記ＰＲＡＣＨ内で周波数ホッピングパターンを決定すること，前記周波数ホッピングパターンは，前記ＰＲＡＣＨ内で第１の周波数ホッピング距離に関連付けられた周波数ホップと，前記ＰＲＡＣＨ内で第２の周波数ホッピング距離に関連付けられた周波数ホップとを備える，と，
　前記ＵＥが，前記決定された周波数ホッピングパターンに従って送信することと
　を備える，方法。」
　で一致し，以下の点で相違する。
　相違点１
　本願発明１は，「前記基地局は，前記ＵＥと，前記ＵＥと異なるＵＥと通信している」のに対し，引用発明は，「前記基地局は，前記ＵＥと通信している」が「前記ＵＥと異なるＵＥと通信している」かどうか特定がない点。
　相違点２
　本願発明１は，「複数の単一サブキャリア送信を備えるランダムアクセスプリアンブルのために」周波数ホッピングパターンを決定して，「ランダムアクセスプリアンブル」を送信するのに対し，引用発明は「複数の単一サブキャリア送信を備えるランダムアクセスプリアンブルのために」周波数ホッピングパターンを決定して，「ランダムアクセスプリアンブル」を送信するとの特定がない点。
　相違点３
　「前記周波数ホッピングパターン」が，本願発明１は，「前記第１の周波数ホッピング距離は，前記第２の周波数ホッピング距離より長く，前記第１または第２の周波数ホッピング距離に関連付けられた周波数ホップを２回以上の所定の回数実行した後，前記第２または第１の周波数ホッピング距離に関連付けられた周波数ホップを実行する」のに対し，引用発明は「ｇトーンの周波数ホッピングが各奇数番号スロットの先頭で発生し，ランダム周波数ホッピングが各偶数番号スロットの先頭で発生」する点。
　事案に鑑み，まず相違点３について検討する。
　引用発明は，各奇数番号スロットの先頭で「ｇトーンの周波数ホッピング」が発生し，各偶数番号スロットの先頭で「ランダム周波数ホッピング」が発生しているから，ｇトーンとランダムの周波数ホッピングが交互に実行されていることが明らかであるが，本願発明は，第１または第２の周波数ホッピング距離に関連づけられた周波数ホップを「２回以上の所定の回数」実行するものである。
　また，「ｇトーンの周波数ホッピング」は「固定ステップ」である一方，「ランダム周波数ホッピング」は「ランダム」であるから，「ｇトーンの周波数ホッピング」が「マイクロホッピング」であることを考慮しても，「ランダム周波数ホッピング」は，「ｇトーンの周波数ホッピング」より大きい場合も小さい場合もある，と理解される。
　そして，本願の発明の詳細な説明の【００５２】の「タイミング精度は，トーン間の周波数差に依存」することから，大きなホップを行うことによってタイミング精度が向上するものの，「大きなホップは，基地局１０５から離れたＮＢ−ＵＥ１１５のためのタイミングオフセットを決定するために有効になり得」ないために，「大きな周波数ホップおよび小さな周波数ホップの組み合わせ」により「タイミングオフセットを決定するために有益」という有利な効果もある。
　よって，その他の相違点について検討するまでもなく，本願発明１は，引用発明及び周知技術より容易に発明をすることができた，とはいえない。
　したがって，原査定の理由によって本願を拒絶することはできない。
第６　むすび
　以上のとおり，原査定の理由によって，本願を拒絶することはできない。
　また，他に本願を拒絶すべき理由を発見しない。
　よって，結論のとおり審決する。